(57)【要約】【課題】雨漏りの可能性を低くするために、Ｊ形瓦又はＳ形瓦類似の瓦であって左右に隣り合う瓦の重なり合う面同士が平行である瓦を提供することを課題とする。【解決手段】それぞれ1つ又は複数の平面で構成される差し込み部と谷部と桟山部とからなり、施工時に差し込み部と桟山部の重なり合う面同士が平行であって、瓦尻において、桟山が谷部側にせり出しており、１つの瓦のせり出した部分が、その瓦の上の行の左隣の瓦の差し込み部と滑らかに連続し、その部分を最初の瓦の上の行の瓦の桟山部がぴったり覆い、施工時に横方向で隣の瓦と重なり、かつ、縦方向でも隣の瓦と重なる部分では最大４枚の瓦が重なる、構成とした。【選択図】図１
2018138761.tif 000002
【特許請求の範囲】
【請求項１】
それぞれ1つ又は複数の平面で構成される差し込み部と谷部と桟山部とからなり、
施工時に差し込み部と桟山部の重なり合う面同士が平行であって、
瓦尻において、桟山が谷部側にせり出しており、
１つの瓦のせり出した部分が、その瓦の上の行の左隣の瓦の差し込み部と滑らかに連続し、その部分を最初の瓦の上の行の瓦の桟山部がぴったり覆い、
施工時に横方向で隣の瓦と重なり、かつ、縦方向でも隣の瓦と重なる部分では最大４枚の瓦が重なる、
瓦。
【請求項２】
それぞれ1つ又は複数の平面で構成される差し込み部と谷部と桟山部とからなり、
施工時に差し込み部と桟山部の重なり合う面同士が平行であって、
差し込み部の瓦頭側と桟山部の瓦尻側に切り欠けがあり、
１つの瓦の桟山部と上の行の左隣の瓦の差し込み部が前記切り欠けの部分で滑らかに連続し、その部分を最初の瓦の上の行の瓦の桟山部がぴったり覆い、
施工時に横方向で隣の瓦と重なり、かつ、縦方向でも隣の瓦と重なる部分では最大３枚の瓦が重なる、
瓦。
【発明の詳細な説明】
【技術分野】
【０００１】
この発明は、複数の平面で構成され施工時に重なり合う面が平行である瓦に関する。
【背景技術】
【０００２】
Ｊ形瓦及びＳ形瓦では、差し込み部は下に凸の曲面であるのに対し、その上に重なる桟山部は上に凸の曲面であり、重なり合う２つの面は平行ではなく、隙間がある。
このため、この隙間に入った雨水は、風で移動しやすく雨漏りの原因となりうる。
また、差し込み部は、横方向の端に向かって傾斜が大きくなっているが、それでもせいぜい水平に対し３０°以下である。
【発明の概要】
【発明が解決しようとする課題】
【０００３】
雨漏りの可能性を低くするために、Ｊ形瓦又はＳ形瓦類似の瓦であって左右に隣り合う瓦の重なり合う面同士が平行である瓦を提供することを課題とする。
【課題を解決するための手段】
【０００４】
上記の課題を解決するために、本発明の瓦は、それぞれ1つ又は複数の平面で構成される差し込み部と谷部と桟山部とからなり、施工時に差し込み部と桟山部の重なり合う面同士が平行であって、瓦尻において、桟山が谷部側にせり出しており、１つの瓦のせり出した部分が、その瓦の上の行の左隣の瓦の差し込み部と滑らかに連続し、その部分を最初の瓦の上の行の瓦の桟山部がぴったり覆い、施工時に横方向で隣の瓦と重なり、かつ、縦方向でも隣の瓦と重なる部分では最大４枚の瓦が重なる、構成とした。
【０００５】
また、本発明の瓦の別の形態は、それぞれ1つ又は複数の平面で構成される差し込み部と谷部と桟山部とからなり、施工時に差し込み部と桟山部の重なり合う面同士が平行であって、差し込み部の瓦頭側と桟山部の瓦尻側に切り欠けがあり、１つの瓦の桟山部と上の行の左隣の瓦の差し込み部が前記切り欠けの部分で滑らかに連続し、その部分を最初の瓦の上の行の瓦の桟山部がぴったり覆い、施工時に横方向で隣の瓦と重なり、かつ、縦方向でも隣の瓦と重なる部分では最大３枚の瓦が重なる、構成とした。
【発明の効果】
【０００６】
本発明の瓦は、重なり合う２つ面がそれぞれ平面であり平行であるので密着させることができる。密着することにより、毛管現象が発生し、隙間に雨水が入り込むこと考えられるが、狭い隙間に入った雨水は風の影響を受けにくいと考えられる。
また、重なり合う差し込み部の上面又は桟山部の下面に、瓦頭−瓦尻方向の線状の凹部又は凸部を１つ又は複数設けて毛管現象を遮断したり、隙間内での雨水の移動を抑えることも可能である。
【０００７】
本発明（請求項１）の瓦にあっては、桟山部に設けた谷川にせり出した部分があるために、下の行の瓦の瓦尻と上の行の瓦の瓦頭が密着することができる。
【図面の簡単な説明】
【０００８】
【図１】本発明（請求項１）の瓦の実施例の斜視図である。
【図２】本発明（請求項１）の瓦の実施例の平面図である。
【図３】本発明（請求項１）の瓦の実施例の施工平面図である。
【図４】本発明（請求項１）の瓦の実施例の施工斜視図である。
【図５】図３のＡ−Ａ断面図である。
【図６】図３のＢ−Ｂ断面図である。
【図７】図３のＣ−Ｃ断面図である。
【図８】本発明（請求項２）の瓦の実施例の斜視図である。
【図９】本発明（請求項２）の瓦の実施例の施工斜視図である。
【図１０】差し込み部と桟山部の重なり部分の断面図である。
【発明を実施するための形態】
【０００９】
本発明の瓦は、基本的に平面で構成されるが、それは、Ｊ形瓦及びＳ形瓦のような大きな曲面部分はないという意味であり、平面と平面の接続部分には局所的に局面は存在するし、平面上に部分的に曲面を有する加工を施すことを否定しているものでもない。
本発明の瓦は、図１から図１０までに示したものと鏡像関係にあるものも当然に可能である。
以下、便宜上その片方の例について本発明の実施の形態を図１から図１０までに基づいて説明する。
【００１０】
せり出し部１６がないと下の行の瓦の瓦尻と上の行の瓦の瓦頭が密着せず隙間が生じる。せり出し部１６はこの隙間を埋めるためのものであり、上になる瓦の瓦頭の下面で調整することは可能であるが、その場合、その部分の厚さが増すか、その部分にくぼみができそれが施工した後も表面に出ることから、好ましくない。
また、せり出し部１６がない状態で上下左右の瓦を密着するように重ねていくと、桟山部１３の稜線の部分が瓦頭から見て左の方向にずれていくという不都合が生じる。
せり出し部１６のせり出し量はほぼ瓦の厚さ分である。
【００１１】
差し込み凸部１１ａは、せり出し部１６に対応するものである。雨漏りを防ぐという点では、ないよりはあった方がよいが、その上に３枚の瓦がありほぼ守られていることから省略することも可能である。
【００１２】
図１０において、差し込み部１１と水平面との角度ａと桟山部１３の谷部１２側と水平面との角度ｂとはほぼ等しいのが美的には好ましいが、必ずしも等しくなければならないわけではない。
ａ及びｂは、４５度が望ましいが、４５度から３０度程度まで可能である。ａは、３０度より小さくなると雨漏り防止上問題が生じる恐れがある。
【００１３】
重なり合う差し込み部１１の上面又は桟山部１３の下面に、瓦頭−瓦尻方向の線状の凹部１１ｃ又は凸部１１ｄを設ける場合、その断面は半円でもよいし幅広であってもよい。
【００１４】
施工時に必要となる釘穴若しくは針金穴又は引掛け部は適宜設けるものとする。
【００１５】
雨水の流れをコントロールするために谷部１２の表側に適宜凹凸をつけることも可能である。
【００１６】
瓦の強度を高めるために、瓦の裏面又は表面に適宜隆起を設けることも可能である。
【００１７】
瓦尻に適宜水返しを設けることも可能である。
【符号の説明】
【００１８】
１    本発明（請求項１）の瓦
２    本発明（請求項２）の瓦
１１    差し込み部
１１ａ  差し込み凸部
１１ｂ  切り欠け部
１１ｃ  線状の凹部
１１ｄ  線状の凸部
１２    谷部
１３    桟山部
１３ｂ  切り欠け部
１３ｃ  線状の凹部
１３ｄ  線状の凸部
１４    瓦頭
１５    瓦尻
１６    せり出し部
【図１】
2018138761.tif 000003
【図２】
2018138761.tif 000004
【図３】
2018138761.tif 000005
【図４】
2018138761.tif 000006
【図５】
2018138761.tif 000007
【図６】
2018138761.tif 000008
【図７】
2018138761.tif 000009
【図８】
2018138761.tif 000010
【図９】
2018138761.tif 000011
【図１０】
2018138761.tif 000012